(57)【要約】【課題】  意図しないペン先の突出を防止するノックロック機構のロック・アンロックの状態を、目視や確認操作をせずに認識することができる構造を提供する。【解決手段】  ノック部材の押圧操作をロック・アンロック状態に切り替える操作部材を、一方方向に回動するとロックし、他方方向に回動するとアンロックされるように構成する。さらに詳細には、操作部材内周面に設けた突起部が、ノック部材外周面に設けられた係合溝にスライド挿入されることでロック状態とすることができるノック式筆記具である。【選択図】  図１
2010131777.tif 000002
【特許請求の範囲】
【請求項１】
軸筒と、
該軸筒内に内装される筆記芯と、
該筆記芯を出没させて筆記可能状態と筆記芯収容状態とに切り替えるノック機構部と、
該ノック機構部と連動し、前記軸筒軸線方向に押圧操作することにより筆記可能状態とすることができるノック部材と、
前記軸筒に前記軸筒軸線方向を中心に回動自在に設けられる操作部材と、
該操作部材と連動し、該操作部材を一方方向に回転したときには前記ノック部材をロックし、他方方向に回転したときには該ノック部材をアンロックするノックロック機構部と、
を有することを特徴とするノック式筆記具。
【請求項２】
前記操作部材は前記ノック部材の外周に設けられ、
前記ノックロック機構部は、
前記操作部材に設けられる突起部と、
前記ノック部材の外周面に、軸方向に設けられ、該突起部をガイドするガイド溝と、
該ガイド溝と連通し、前記突起部と係合可能かつ、前記ノック部材の円周上に形成された係合溝と、
を有することを特徴とする請求項１記載のノック式筆記具。
【請求項３】
前記ノック機構部は、
突起部と、第１カム部と、を有する第１カム部材と、
前記突起部をガイドするガイド溝と、第２カム部と、を有する中駒部と、
筆記芯収容状態から筆記可能状態に移行するときには前記第１カム部と係合し、筆記可能状態のときには前記第２カム部と係合する係止爪部を有する回転子と、を有し、
前記操作部材は、
回動操作により前記ガイド溝と連通及び非連通を選択可能に形成された操作部側ガイド溝と、を有し、
前記ノック部材は、
前記第１カム部材と係合可能に形成されるとともに、前記ガイド溝及び操作部側ガイド溝にガイドされる突起部と、
を有することを特徴とする請求項１記載のノック式筆記具。
【請求項４】
前記ノック機構部は、
突起部と、第１カム部と、を有する第１カム部材と、
前記突起部をガイドするガイド溝と、該ガイド溝と連通して設けられるロック係合部と、第２カム部と、を有する中駒部と、
筆記芯収容状態から筆記可能状態に移行するときには前記第１カム部と係合し、筆記可能状態のときには前記第２カム部と係合する係止爪部を有する回転子と、を有し、
前記操作部材は、
前記ロック係合部と係合可能に形成される突起部と、
を有することを特徴とする請求項１記載のノック式筆記具。
【請求項５】
前記ノックロック機構部は、
前記操作部材の回動を所定角度に規制する規制部と、
を有することを特徴とする請求項１乃至４記載のノック式筆記具。
【発明の詳細な説明】
【技術分野】
【０００１】
本発明は、ノック部材の押圧操作によりボールペンリフィール等の筆記芯を軸筒より突出させて筆記可能状態とする、いわゆるノック式筆記具に関する。さらに詳細には、筆記芯の出没をロック・アンロックする機構を有するノック式筆記具に関する。
【背景技術】
【０００２】
従来から、いわゆるノック式筆記具が提供されている。このノック式筆記具は、通常、後端に設けられるノック部材を押圧又は解除操作することにより、筆記芯を出没させて、筆記可能状態と筆記芯収容状態とを容易に選択することが出来るものである。よって、使用者は、片手で押圧又は解除操作をすることができるので、大変便利であり、筆記具において広く採用されている。
【０００３】
しかし、操作が簡便であるがゆえに、例えばノック式筆記具を胸ポケットに差している場合には、上体を屈む等の動作をしたときに、意図せずノック部材が押圧され、筆記可能状態となり、筆記芯の筆記部が胸ポケットの内側の布地等に触れて衣服を汚してしまう場合があった。また、ノック式筆記具を鞄等に入れていた場合においても同様に、意図せず筆記可能状態となり、鞄等及びその内容物を汚してしまう場合があった。
【０００４】
このような問題点を解決するため発明されたノック式筆記具としては、クリップを有する回転部材を一方向に回転させて、ノック部材の押圧動作のロック・アンロックを切り替える機構を筆記具の後端部分のノック部材外周に設けたものが提供されている。（特許文献１）。
【特許文献１】特開２００８−１６８４４３
【発明の開示】
【発明が解決しようとする課題】
【０００５】
上述のノック式筆記具においては、ノック部材のロック・アンロックを回転部材の一方向回転によって切り替えるため、ノック部材の現在状態がロック状態であるのかアンロック状態であるのかの確認は、ノック部材を実際に押圧操作してみる、又は目印等が印刷等されている場合にはこれを目視確認してする必要があり、大変煩雑である。
【０００６】
また、当該ノック式筆記具においては、回転部材をコイルスプリングで付勢される駒部材を介して後方へ付勢する構造であるので、筆記具全体の長さがこの機構を付設した分長くなり、取扱上不利になる。また、全長を従来のものと同等としたい場合には、筆記具の軸部を短くする必要があり、この場合には筆記芯の長さも同時に短くなる。すると、インク容量が減る等の品質劣化の問題が生じることとなる。
【課題を解決するための手段】
【０００７】
本発明は、軸筒と、該軸筒内に内装される筆記芯と、該筆記芯を出没させて筆記可能状態と筆記芯収容状態とに切り替えるノック機構部と、該ノック機構部と連動し、前記軸筒軸線方向に押圧操作することにより筆記可能状態とすることができるノック部材と、前記軸筒に前記軸筒軸線方向を中心に回動自在に設けられる操作部材と、該操作部材と連動し、該操作部材を一方方向に回転したときには前記ノック部材をロックし、他方方向に回転したときには該ノック部材をアンロックするノックロック機構部と、を有することを特徴とするノック式筆記具である。
【発明の効果】
【０００８】
本発明によれば、ノック式筆記具のノック部材の押圧操作をロック・アンロックするための切替操作を、操作部材の一方方向の回転をノック部材のロック状態とし、他方方向の回転をアンロックとすることができる。よって、ノック部材のロック・アンロック状態の確認動作をすることなく現在状態を把握することができる。さらに、駒部材及び駒部材を付勢するコイルスプリング等、軸筒軸方向に付設される部材も無いので、筆記具の全長を従来と同等のものとすることができる。
【発明を実施するための最良の形態】
【０００９】
以下、図面を参照しつつ本発明の実施例について説明する。なお、以下の説明において、前方向は、ペン先側の方向を指す。
【実施例１】
【００１０】
本発明の第１実施形態を図１〜図３に示す。
図１において、ノック式ボールペン１は、軸筒２内に筆記芯であるボールペンリフィール３を内装する。軸筒２の前端には先口４が螺着される。先口４は先端開口部４ａが設けられている。そして、軸筒２の前方にはグリップ５が設けられる。グリップ５は、軸筒２に形成された環状突起部２ａと、先口４の後端面４ｂとにより挟着固定される。また、軸筒２の後方側にはクリップ６が固着されるとともに、クリップ６の前方側軸方向面に対応する軸筒２の外周面には玉部２ｂが設けられる。クリップ６は、弾性を有する材料（樹脂等）により形成される。よって、クリップ６及び玉部２ｂの作用により、ワイシャツ等の胸ポケットにノック式ボールペン１を差し込んだ際にノック式ボールペン１を布地等に挟着固定することができる。
【００１１】
一方、ボールペンリフィール３は、インクを貯留するインクタンク３ａを有する。インクタンク３ａは、ジョイント３ｂを介してボールペンチップ３ｃと接続される。そして、ジョイント３ｂに設けられる段部３ｂ１と、先口４内前方に設けられる先口内段部４ｃ間にコイルスプリング７が設けられる。コイルスプリング７により、ボールペンリフィール３は後方に付勢される。
【００１２】
ボールペンリフィール３の後端面には、当該後端面と接して回転子８が設けられている。回転子８は略筒状に形成される。回転子８の後方側には、底部を後方側とする有底筒状に形成されるノック部材１０が設けられる。そして、ノック部材１０の前方側の範囲と回転子８の後方側の範囲に亘る軸筒２の内周面には中駒部９が設けられている。
【００１３】
ノック部材１０の前端には、環状に第１カム部１０ａが設けられる。第１カム部１０ａは、頂部を前方側にした三角形状を環状に連続して形成される（図９参照）。さらに、ノック部１０の前方側外周面には、突起部１０ｂが設けられる。突起部１０ｂは、ノック部１０の前方側外周面に平面視１２０度毎に３箇所設けられる。
【００１４】
中駒部９は、複数設けられるガイド溝９ａと、ガイド溝９ａの前端に設けられる第２カム部９ｂとで構成される。第２カム部９ｂは、ガイド溝９ａ間に傾斜部２箇所と、傾斜部２箇所を接続する直線部とで形成される（図９参照）。一方、回転子８には、外周面平面視１２０度毎３箇所に係止爪部８ａが設けられている。そして、ガイド溝９ａは突起部１０ｂ及び係止爪部８ａを摺動可能に形成される。
【００１５】
これらノック部材１０（第１カム部１０ａ，突起部１０ｂ），中駒部９（ガイド溝９ａ，第２カム部９ｂ），回転子８（係止爪部８ａ）によりノック機構部２０が形成され、コイルスプリング７の弾発力と相俟って、ノック部材１０の後端部の押圧操作により、ボールペンリフィール３（ボールペンチップ３ｃ）を先端開口部４ａから出没させて、筆記可能状態と筆記芯収容状態とに切り替えることができる。
なお、ノック機構部２０は公知の構造であるが、その動作を以下に概略説明する。
図９は、ノック機構部２０の周辺の一部を示す展開図である。図９（ａ）は、筆記芯収容状態を示す。
【００１６】
図９（ａ）において、突起部１０ｂ及び係止爪部８ａはガイド溝９ａに案内される。係止爪部８ａは第１カム部１０ａと係合している。ボールペンリフィール３はコイルスプリング７により後方に付勢されているので、ボールペンリフィール３と接する回転子８も後方へ付勢され、係止爪部８ａ及び第１カム部１０ａを介して、ノック部材１０も後方へ付勢される。そして、ノック部材１０の押圧操作により、コイルスプリング７の付勢力に反して、ノック部材１０，回転子８及びボールペンリフィール３は前進する。
【００１７】
係止爪部８ａがガイド溝９ａのガイドから外れると（図９（ｂ））、回転子８の回転方向の規制が解除されるため、係止爪部８ａは第１カム部１０ａの斜面に沿って、係止部１０ａ１まで移動する（図９（ｃ））。そして、ノック部材１０の押圧を解除すると、コイルスプリング７の付勢力により係止爪部８ａ（回転子８）は後方に付勢され、第２カム部９ｂの係止部９ｂ１に係止される（図９（ｄ）、（ｅ））。すなわち、図９（ｅ）はボールペンリフィール３の先端部（ボールペンチップ３ｃ）が先口４の先端開口部４ａから突出した状態、換言すれば筆記可能状態を示す。
【００１８】
筆記芯収容状態への移行は、再度ノック部材１０を押圧操作して第１カム部１０ａと係止爪部８ａを係合させて、係止爪部８ａを係止部９ｂ１から離脱させる。すると、係止爪部８ａは、コイルスプリング７の付勢力により第２カム部９ｂの斜面に案内されて、再びガイド溝９ａにスライドしてガイドされ、筆記芯収容状態への移行が完了する。
【００１９】
なお、図示しないが、軸筒２には、回転子８の脱落防止の規制部を設けることができる。同様に、ガイド溝９ａの後端部には、ノック部材１０（突起部１０ｂ）の抜け止め防止の規制部を設けることができる。
【００２０】
以上のようなノック機構部２０を有するノック式ボールペンにおいては、例えばワイシャツ等の胸ポケットにノック式ボールペンを差す、又はノック式ボールペンを鞄に入れていた場合等に、意図しないノック部材の押圧操作により筆記可能状態となる場合がある。この場合、ワイシャツ等を汚したり、意図しない物に筆記してしまうことがある。特に近年は、インクをゲル化する等して低粘度にして書き心地を向上させたボールペンが普及しているため、ボールペンチップ３ｃに布地等が少し触れただけでもインクが吐出される。
【００２１】
そこで、ノック式ボールペン１においては、意図しない筆記可能状態への移行を制限するべく、本願発明に係るノックロック機構部４０が設けられている。以下詳細に説明する。
【００２２】
ノック部材１０の外周の軸筒２の後端部分に、操作部材４１が設けられている。操作部材４１の前端には、フランジ状に突出した摺動突起４１ａが突出して２箇所に設けられている（図３参照）。一方、軸筒２には、摺動突起４１ａをガイドする摺動溝２ｃが設けられている。摺動突起４１ａは摺動溝２ｃを摺動する。よって、操作部材４１はノック部材１０外周を回動自在に形成される。なお、操作部材４１が回動する距離は、規制部２ｃ１により規制される。
【００２３】
さらに、操作部材４１の内周面には突起部４１ｂが設けられる。本実施例では、一方側の摺動突起４１ａと対抗する操作部材４１の内周面に設けられている。一方、ノック部材１０の外周面には、円周方向に係合溝１０ｃが設けられる。そして、係合溝１０ｃは、ノック部材１０の軸芯方向に沿って設けられるガイド溝１０ｄと接続する。係合溝１０ｃ及びガイド溝１０ｄは突起部４１ｂと係合し、案内する。
【００２４】
ノック部材１０の押圧操作を規制するには、操作部材４１を一方方向に回動させて突起部４１ｂを係合溝１０ｃにスライド挿入させる。すると、突起部４１ｂと係合溝１０ｃの作用により、ノック部材１０は前方への移動が規制（ロック）される。よって、ノック部材１０の押圧操作は規制されるので、ボールペンリフィール３の意図しない突出が防止される。
【００２５】
ノック部材１０の押圧操作の規制を解除（アンロック）するには、操作部材４１を他方方向に回動させて、突起部４１ｂをガイド溝１０ｄに挿入可能な位置にする（図２の破線位置）。すると、ノック部材１０の軸芯方向の移動規制が解除される。ノック部材１０を押圧操作した場合には、突起部４１ｂがガイド溝１０ｄに沿って相対的に移動する。
【００２６】
以上のようにノックロック機構部４０を構成することにより、操作部材４１を一方方向に回動させた場合にはノック部材１０の押圧動作をロックし、他方方向に回動させた場合には押圧動作可能にアンロックの状態にすることができる。ゆえに、操作者は何れの方向がロック・アンロックの状態かを感覚的に容易に習得することができるので、ノック部材を押圧して確認したり、ロック・アンロックの状態を示す表示等を目視確認することなくロック・アンロック状態を切替操作することができる。
【００２７】
さらに、操作部材４１をノック部材１０の外周に形成するとともにノックロック機構部４０を突起部４１ｂ及び係合溝１０ｃ，ガイド溝１０ｄにより構成したので、ノック式ボールペン１の全長を従来と同等のものとすることができるのである。
【００２８】
なお、本実施例のノックロック機構部４０の適用は、本実施例で示すノック機構部２０（すなわち中駒部９，回転子８を用いる形式）には限定されない。すなわち、弾発係止部材の係止により筆記芯を筆記可能状態とし、解除操作ボタンにて筆記収容状態とに切替可能に形成されたノック式筆記具においても、本実施例のノックロック機構部４０を適用することができる。
【実施例２】
【００２９】
本発明の第２実施形態を図４〜図６に示す。
なお、第１実施形態と同一の部材（又は同等の部材，構成部分）については同一の符号を付し、その説明を省略する。
図４に示すノック式ボールペン１００は、第１実施形態と同等のノック機構部２０を有する。ただし、ノック部材１０１は第１実施例とは異なって形成される。
【００３０】
ノック部材１０１は、ガイド溝９ａ（図５参照）にガイドされる突起部１０１ａを有する。突起部１０１ａは、円周上平面視１２０度毎に３箇所設けられている。ノック部材１０１と回転子８との間には、第１カム部材１０２が設けられている。第１カム部材１０２は、前端に第１カム部１０２ａを有する。ここで、第１カム部１０２ａの機能は、第１実施例における第１カム部１０ａと同様である。第１カム部材１０２の外周面には突起部１０２ｂが設けられている。突起部１０２ｂは円周上平面視１２０度毎に３箇所に設けられている。また、突起部１０２ｂはガイド溝９ａにガイドされる。
【００３１】
第１カム部材１０２の後端部には、環状突出部１０２ｃが設けられている。環状突出部１０２ｃは、第一カム部材１０２よりも小径に形成される。そして、環状突出部１０２ｃは、ノック部材１０１の前端開口部１０１ｂに遊嵌する。
【００３２】
一方、ノック部材１０１の外周であって、軸筒２の後端部には操作部材５１が回動自在に設けられる。操作部材５１の前端部にはフランジ状に突出した摺動突起５１ａが円周上２箇所に設けられる。摺動突起５１ａに対応して、軸筒２には、第１実施例（図３）と同様に摺動溝２ｃ及び規制部２ｃ１（図示せず）が設けられる。第１実施例と同様に、摺動突起５１ａは摺動溝２ｃを摺動自在にガイドされるとともに、規制部２ｃ１により、摺動突起５１ａの回動を規制される。
【００３３】
また、操作部材５１の内周面には、ガイド溝９ａと連通可能に形成される操作部側ガイド溝５１ｂが形成される。換言すると、中駒部９のガイド溝９ａの一部は、操作部材５１の内周面に操作部側ガイド溝５１ｂとして形成されている。
【００３４】
図５により第２実施例におけるノックロック機構部５０の動作を説明する。図５（ａ）は、筆記芯収容状態かつ、ノック部材１０１はアンロックされた状態であり、ノック部材１０１の押圧操作によりボールペンリフィール３を筆記可能状態へと移行することができる。なお、図５（ａ）の状態ではノック部材１０１の突起部１０１ａは操作部材５１の操作部側ガイド溝５１ｂと係合し、第１カム部材１０２の突起部１０２ｂはガイド溝９ａと係合している。
【００３５】
ここで、操作部材５１を一方方向に回動させる。すると、図５（ｂ）の状態となる。この場合、操作部側ガイド溝５１ｂと突起１０１ａとの係合により、操作部材５１とノック部材１０１は共に回動する。また、操作部材５１の回動により、操作部側ガイド溝５１ｂとガイド溝９ａの連通状態は分断される。よって、突起部１０１ａは前方向の移動が規制される。つまり、ノック部材１０１がロックされた状態となる。
【００３６】
操作部材５１を他方方向に回動させれば、図５（ｂ）から図５（ａ）の状態に移行する。換言すれば、ノック部材１０１をロックした状態からアンロックした状態に移行する。図５（ａ）の状態では、操作部側ガイド溝５１ｂとガイド溝９ａは連通し、ノック部材１０１の押圧操作により第１カム部材１０２，回転子８を介してボールペンリフィール３を出没操作できる。すなわち、筆記可能状態と筆記芯収容状態とを交互に操作することができる。
【００３７】
第２実施例におけるノックロック機構部５０によれば、第１実施例における効果に加えて、ノック部材１０１の外周面に第１実施例で示した係合溝１０ｃやガイド溝１０ｄを設ける必要が無いので、外観意匠上の自由度が広がり、好適である。さらに、ノックロック機構部５０が内装されるので、ゴミ等が係合溝１０ｃやガイド溝１０ｄに詰まることによる作動不良を防止できる。
【００３８】
なお、操作部材５１の回動操作を良好にするために、突起部１０１ａの前端部や操作部側ガイド溝５１ｂとガイド溝９ａの分断部に面取りを施して、干渉を防止することもできる。
【実施例３】
【００３９】
本発明の第３実施形態を図７及び図８に示す。なお、ノックロック機構部６０の要部のみを示しており、その他の構成は第１実施形態及び第２実施形態と概略同等である。よって、図示及び説明は省略する。また、第１実施形態及び第２実施形態と同一の部材（又は同等の部材，構成部分）については同一の符号を付し、その説明を省略する。
【００４０】
本実施形態では、第２実施形態と同様に、ノック部材６１と回転子８との間に第１カム部材１０２が設けられる。ノック部材６１の外周面には突起部６１ａが設けられる。突起部６１ａは、円周上平面視１２０度毎に３箇所設けられている。一方、第１カム部材１０２も同様に、突起部１０２ｂが設けられる。突起部１０２ｂも、突起部６１ａと同様に、円周上平面視１２０度毎に３箇所設けられている。そして、第１カム部材１０２後端部から突出する円環状に形成される環状突出部１０２ｃがノック部材６１の前端開口部６１ｂに遊嵌するよう構成される（図８参照）。
【００４１】
そして、本実施形態のノックロック機構部６０には、突起部６１ａがガイドされるガイド溝９ａの途中位置に、ロック係合部６２が設けられている。ロック係合部６２は、筆記芯収容状態（図７（ａ）の状態）における突起部６１ａに対応する位置に設けられている。
【００４２】
本実施形態のノックロック機構部６０の動作を説明する。図７（ａ）に示す状態は、筆記芯収容状態であり、ノック部材６１の押圧操作により、第１カム部材１０２及び回転子８を介してボールペンリフィール３が前進し、筆記可能状態とすることができる。換言すると、ノック部材６１は、アンロックされた状態である。
【００４３】
ここで、ノック部材６１を一方方向に回動操作すると、突起部６１ａがロック係合部６２内にスライドして挿入され、両者は係合状態に移行する（図７（ｂ）の状態）。すると、ノック部材６１の前方方向の移動が規制されるため、ノック部材６１を押圧操作することは出来ない。すなわち、ノック部材６１は、ロックされた状態となる。
【００４４】
ノック部材６１を他方方向に回動操作すると、突起部６１ａがロック係合部６２から離脱する。すなわち、図７（ｂ）のロックされた状態から図７（ａ）のアンロックされた状態に移行する。
【００４５】
而して、本実施形態においては、ノック部材６１は操作部材を兼ね備えている。よって、本実施形態のノックロック機構部６０とすることで、第１実施形態及び第２実施形態における効果に加えて、第１実施形態及び第２実施形態と比較して部品点数を削減して、ノック式ボールペンを構成することができる。
【００４６】
なお、ロック係合部６２の縦壁６２ａにより、ノック部材６１の回動操作を規制することができる。他方方向は、ロック係合部６２と対面するガイド溝９ａの壁面により規制される。換言すれば、縦壁６２ａとガイド溝９ａにより、規制部が形成されているといえる。
【００４７】
以上、第１乃至第３実施形態においては、ノック式ボールペンについて説明したが、他の筆記具（例えばシャープペンシル等）においても同様に構成することができる。また、本願発明は、第１乃至第３実施形態に示す実施例に限定されるものではない。
【図面の簡単な説明】
【００４８】
【図１】本発明の第１実施形態におけるノック式ボールペンの縦断面図である。
【図２】ノック部材１０の側面図。
【図３】図１のＩＩＩ−ＩＩＩ断面図である
【図４】本発明の第２実施形態におけるノック式ボールペンの縦断面図である。
【図５】ノックロック機構部５０の動作を説明する展開図である。
【図６】ノック部材１０１及び第１カム部材１０２を示す側面図である。
【図７】ノックロック機構部６０の動作を説明する展開図である。
【図８】ノック部材６１及び第１カム部材１０２を示す側面図である。
【図９】ノック機構部２０の動作を説明する展開図である。
【符号の説明】
【００４９】
１，１００    ノック式ボールペン
２    軸筒
２ｃ１    規制部
３    ボールペンリフィール
８    回転子
８ａ    係止爪部
９    中駒部
９ａ    ガイド溝
９ｂ    第２カム部
１０，６１，１０１    ノック部材
１０ａ，１０ｂ，４１ａ，６１ａ，１０１ａ，１０２ｂ    突起部
１０ｃ    係合溝
１０ｄ    ガイド溝
２０    ノック機構部
４０，５０，６０    ノックロック機構
４１，５１    操作部材
４１ｂ    突起部
５１ｂ    操作部側ガイド溝
６２    ロック係合部
１０２    第１カム部材
１０２ａ    第１カム部材
【図１】
2010131777.tif 000003
【図２】
2010131777.tif 000004
【図３】
2010131777.tif 000005
【図４】
2010131777.tif 000006
【図５】
2010131777.tif 000007
【図６】
2010131777.tif 000008
【図７】
2010131777.tif 000009
【図８】
2010131777.tif 000010
【図９】
2010131777.tif 000011